(57)【要約】【課題】光源が１つである場合でも、視認により容易に区別できるように２つのカップ収容部を照らすことのできる構造を有するカップホルダーを提供する。【解決手段】本発明の一態様として、カップを収容するための凹状の第１の収容部２ａ及び第２の収容部２ｂと、第１の収容部２ａと第２の収容部２ｂの間の、第１の収容部２ａの底部３ａ及び第２の収容部２ｂの底部３ｂよりも高い位置に設置された、第１の収容部２ａの底部３ａ及び第２の収容部２ｂの底部３ｂを照らすための光源４と、を備え、光源４による第１の収容部２ａの底部３ａの照度が第２の収容部２ｂの底部３ｂの照度よりも高い構成を有する、カップホルダー１を提供する。【選択図】図３
2019006245.tif 000002
【特許請求の範囲】
【請求項１】
カップを収容するための凹状の第１の収容部及び第２の収容部と、
前記第１の収容部と前記第２の収容部の間の、前記第１の収容部の底部及び前記第２の収容部の底部よりも高い位置に設置された、前記第１の収容部の底部及び前記第２の収容部の底部を照らすための光源と、
を備え、
前記光源による前記第１の収容部の底部の照度が前記第２の収容部の底部の照度よりも高い構成を有する、
カップホルダー。
【請求項２】
前記第１の収容部の底部の高さが、前記第２の収容部の底部の高さよりも高い、
請求項１に記載のカップホルダー。
【請求項３】
前記光源から発せられた光を前記第１の収容部の底部及び前記第２の収容部の底部へ導く導光レンズを前記光源の上に備え、
前記導光レンズが、その中心よりも前記第１の収容部側に位置し、前記光源から発せられて前記導光レンズ内に進入した光を前記第１の収容部の底部に導く第１の領域と、その中心よりも前記第２の収容部側に位置し、前記光源から発せられて前記導光レンズ内に進入した光を前記第２の収容部の底部に導く第２の領域と、を有する平板状の導光レンズであって、
前記導光レンズの前記第１の領域の形状と前記第２の領域の形状が非対称である、
請求項１又は２に記載のカップホルダー。
【請求項４】
前記光源が設置された領域と前記第１の収容部とを空間的につなげる開口部の面積が、前記光源が設置された領域と前記第２の収容部とを空間的につなげる開口部の面積よりも大きい、
請求項１〜３のいずれか１項に記載のカップホルダー。
【請求項５】
前記光源が、前記第２の収容部よりも前記第１の収容部に近い位置に設置された、
請求項１〜４のいずれか１項に記載のカップホルダー。
【請求項６】
前記光源が１つである、
請求項１〜５のいずれか１項に記載のカップホルダー。
【発明の詳細な説明】
【技術分野】
【０００１】
本発明は、カップホルダー、特に自動車の車室内等に装備されるカップホルダーに関する。
【背景技術】
【０００２】
従来、自動車の車室内のコンソールボックスやインストルメントパネルの全面等に設けられる、ペットボトルや飲料缶などの飲料容器を一時保管するのに便利なカップホルダーとして、カップ収納部の夜間の視認性や装飾性を向上させるための光源を備えたものが知られている（例えば、特許文献１、２参照）。
【０００３】
特許文献１に記載のカップホルダーは、カップを収容するための２つのカップ収容部と、２つのカップ収容部の開口部にそれぞれ取り付けられた２つの環状の導光部材と、２つの導光部材にそれぞれ光を供給して発光させる２つの光源と、を備える。
【０００４】
特許文献２に記載のカップホルダーは、カップを収容するための２つのカップ収容部と、２つのカップ収容部の開口部の縁に連続して設けられた透明リングと、透明リングに光を供給して発光させる光源と、を備える。
【先行技術文献】
【特許文献】
【０００５】
【特許文献１】特開２０１０−１３２２０１号公報
【特許文献２】国際公開第２００８／１３３９０３号
【発明の概要】
【発明が解決しようとする課題】
【０００６】
特許文献１に記載のカップホルダーによれば、２つのカップ収容部を照らすために２つの光源が必要となる。また、特許文献２に記載のカップホルダーによれば、１つの光源で２つのカップ収容部を照らすことができるが、２つのカップ収容部が等しい照度で照らされるため、暗い車室内において視認により２つのカップ収容部を容易に区別することができない。
【０００７】
本発明の目的の１つは、光源が１つである場合でも、視認により容易に区別できるように２つのカップ収容部を照らすことのできる構造を有するカップホルダーを提供することにある。
【課題を解決するための手段】
【０００８】
本発明の一態様は、上記目的を達成するために、下記［１］〜［６］のカップホルダーを提供する。
【０００９】
［１］カップを収容するための凹状の第１の収容部及び第２の収容部と、前記第１の収容部と前記第２の収容部の間の、前記第１の収容部の底部及び前記第２の収容部の底部よりも高い位置に設置された、前記第１の収容部の底部及び前記第２の収容部の底部を照らすための光源と、を備え、前記光源による前記第１の収容部の底部の照度が前記第２の収容部の底部の照度よりも高い構成を有する、カップホルダー。
【００１０】
［２］前記第１の収容部の底部の高さが、前記第２の収容部の底部の高さよりも高い、上記［１］に記載のカップホルダー。
【００１１】
［３］前記光源から発せられた光を前記第１の収容部の底部及び前記第２の収容部の底部へ導く導光レンズを前記光源の上に備え、前記導光レンズが、その中心よりも前記第１の収容部側に位置し、前記光源から発せられて前記導光レンズ内に進入した光を前記第１の収容部の底部に導く第１の領域と、その中心よりも前記第２の収容部側に位置し、前記光源から発せられて前記導光レンズ内に進入した光を前記第２の収容部の底部に導く第２の領域と、を有する平板状の導光レンズであって、前記導光レンズの前記第１の領域の形状と前記第２の領域の形状が非対称である、上記［１］又は［２］に記載のカップホルダー。
【００１２】
［４］前記光源が設置された領域と前記第１の収容部とを空間的につなげる開口部の面積が、前記光源が設置された領域と前記第２の収容部とを空間的につなげる開口部の面積よりも大きい、上記［１］〜［３］のいずれか１項に記載のカップホルダー。
【００１３】
［５］前記光源が、前記第２の収容部よりも前記第１の収容部に近い位置に設置された、上記［１］〜［４］のいずれか１項に記載のカップホルダー。
【００１４】
［６］前記光源が１つである、上記［１］〜［５］のいずれか１項に記載のカップホルダー。
【発明の効果】
【００１５】
本発明によれば、光源が１つである場合でも、視認により容易に区別できるように２つのカップ収容部を照らすことのできる構造を有するカップホルダーを提供することができる。
【図面の簡単な説明】
【００１６】
【図１】図１は、第１の実施の形態に係るカップホルダーの斜視図である。
【図２】図２は、第１の実施の形態に係るカップホルダーの上側部材と下側部材を分離した状態の斜視図である。
【図３】図３は、第１の実施の形態に係るカップホルダーの垂直断面図である。
【図４】図４は、第１の実施の形態に係る導光レンズの垂直断面図である。
【図５】図５（ａ）、（ｂ）は、第２の実施の形態に係る導光レンズの垂直断面図である。
【図６】図６（ａ）、（ｂ）は、第３の実施の形態に係るカップホルダーの導光レンズ周辺の垂直断面図である。
【発明を実施するための形態】
【００１７】
〔第１の実施の形態〕
図１は、第１の実施の形態に係るカップホルダー１の斜視図である。図２は、カップホルダー１の上側部材１０と下側部材２０を分離した状態の斜視図である。また、図３は、カップホルダー１の垂直断面図である。
【００１８】
カップホルダー１は、カップを収容するための凹状の第１の収容部２ａ及び第２の収容部２ｂを有する。第１の収容部２ａ及び第２の収容部２ｂには、ペットボトル、飲料缶、コップ等の飲料容器を収容することができる。また、カップホルダー１は、積層された上側部材１０と下側部材２０から構成される。
【００１９】
カップホルダー１の第１の収容部２ａは、上側部材１０の第１の穴１１ａと下側部材２０の第１の凹部２１ａから構成され、第２の収容部２ｂは、上側部材１０の第２の穴１１ｂと下側部材２０の第２の凹部２１ｂから構成される。第１の収容部２ａの底部３ａは、下側部材２０の第１の凹部２１ａの底部であり、第２の収容部２ｂの底部３ｂは、下側部材２０の第２の凹部２１ｂの底部である。
【００２０】
下側部材２０の第１の凹部２１ａと第２の凹部２１ｂの間の凸状の領域の上には、第１の収容部２ａの底部３ａ及び第２の収容部２ｂの底部３ｂを照らすための、ＬＥＤ等の発光素子を含む光源４が設置されている。すなわち、光源４は、第１の収容部２ａと第２の収容部２ｂの間の、第１の収容部２ａの底部３ａ及び第２の収容部２ｂの底部３ｂよりも高い位置に設置されている。
【００２１】
なお、カップホルダー１は、第１の収容部２ａと第２の収容部２ｂの間の、第１の収容部２ａの底部３ａ及び第２の収容部２ｂの底部３ｂよりも高い位置に複数の光源４を有してもよいが、製造コストの観点からは、光源４は１つであることが好ましい。
【００２２】
また、光源４の上には、光源４から発せられた光を第１の収容部２ａの底部３ａ及び第２の収容部２ｂの底部３ｂまで導くための導光レンズ５が設置されている。
【００２３】
導光レンズ５は、中心に設けられた円錐状の凹部５１と、第１の収容部２ａ側の側面に設けられた傾斜面５２ａと、第２の収容部２ｂ側の側面に設けられた傾斜面５２ｂと、導光レンズ５を下側部材２０の上に間隔を空けて保持するための保持部５３を有する。なお、凹部５１の形状は、四角錐、六角錐等の他の錐形状であってもよい。
【００２４】
図４は、導光レンズ５の垂直断面図である。導光レンズ５は、平板状の導光レンズであり、その中心よりも第１の収容部２ａ側に位置し、光源４から発せられて導光レンズ５内に進入した光を第１の収容部２ａの底部３ａに導く第１の領域５ａと、その中心よりも第２の収容部２ｂ側に位置し、光源４から発せられて導光レンズ５内に進入した光を第２の収容部２ｂの底部３ｂに導く第２の領域５ｂと、を有する。また、導光レンズ５の下部には、導光レンズ５を光源４に固定するための固定部５４が設けられている。
【００２５】
導光レンズ５の第１の領域５ａは、光源４から発せられて第１の領域５ａ内に進入した光を反射する傾斜面５１ａと、傾斜面５１ａで反射されて第１の領域５ａ内を進行する光を第１の収容部２ａの底部３ａへ向けて反射する傾斜面５２ａを含む。
【００２６】
導光レンズ５の第２の領域５ｂは、光源４から発せられて第２の領域５ｂ内に進入した光を反射する傾斜面５１ｂと、傾斜面５１ｂで反射されて第２の領域５ｂ内を進行する光を第２の領域５ｂの底部３ｂへ向けて反射する傾斜面５２ｂを含む。
【００２７】
導光レンズ５の第１の領域５ａに含まれる傾斜面５１ａと、第２の領域５ｂに含まれる傾斜面５１ｂは、ともに錐形状の凹部５１の斜面の一部である。
【００２８】
光源４から発せられた光は、導光レンズ５によって進行方向を第１の収容部２ａ側と第２の収容部２ｂ側に分けられ、それぞれ開口部６ａ、６ｂを通過して、底部３ａ、３ｂに達する。
【００２９】
ここで、開口部６ａは、積層された上側部材１０と下側部材２０の隙間であり、光源４及び導光レンズ５が設置された領域と第１の収容部２ａとを空間的につなげる開口部である。開口部６ｂは、積層された上側部材１０と下側部材２０の隙間であり、光源４及び導光レンズ５が設置された領域と第２の収容部２ｂとを空間的につなげる開口部である。
【００３０】
本実施の形態に係るカップホルダー１においては、第１の収容部２ａの底部３ａの高さが、第２の収容部２ｂの底部３ｂの高さよりも高いため、光源４（導光レンズ５）から第１の収容部２ａの底部３ａまでの距離が、光源４（導光レンズ５）から第２の収容部２ｂの底部３ｂまでの距離よりも短い。このため、光源４による第１の収容部２ａの底部３ａの照度が、第２の収容部２ｂの底部３ｂの照度よりも高い。
【００３１】
第１の収容部２ａの底部３ａと第２の収容部２ｂの底部３ｂの明るさが異なるため、第１の収容部２ａと第２の収容部２ｂを視認により容易に区別することができる。
【００３２】
〔第２の実施の形態〕
第２の実施の形態は、導光レンズ５の形状により光源４による第１の収容部２ａの底部３ａの照度を第２の収容部２ｂの底部３ｂの照度よりも高くする点において、第１の実施の形態と異なる。なお、以下に説明する本実施の形態の特徴である構成以外のカップホルダー１の構成は、第１の実施の形態と同じとすることができるものとする。
【００３３】
図５（ａ）、（ｂ）は、第２の実施の形態に係る導光レンズ５の垂直断面図である。図５（ａ）、（ｂ）に示される導光レンズ５においては、第１の領域５ａの形状と第２の領域５ｂの形状が非対称である。
【００３４】
図５（ａ）に示される導光レンズ５においては、第１の領域５ａの厚さｔaが第２の領域５ｂの厚さｔbよりも厚いため、傾斜面５１ａ、傾斜面５２ａの面積が、それぞれ傾斜面５１ｂ、傾斜面５２ｂの面積よりも大きい。このため、第１の領域５ａにより第１の収容部２ａに導かれる光の量が、第２の領域５ｂにより第２の収容部２ｂに導かれる光の量よりも多くなる。
【００３５】
図５（ｂ）に示される導光レンズ５においては、第１の領域５ａの傾斜面５１ａの傾斜角θ1aが第２の領域５ｂの傾斜面５１ｂの傾斜角θ1bと異なり、第１の領域５ａの傾斜面５２ａの傾斜角θ2aが第２の領域５ｂの傾斜面５２ｂの傾斜角θ2bと異なる。
【００３６】
第１の領域５ａの傾斜面５１ａの傾斜角θ1a及び傾斜面５２ａの傾斜角θ2aは、第２の領域５ｂの傾斜面５１ｂの傾斜角θ1b及び傾斜面５２ｂの傾斜角θ2bよりも、効率的に光を導くのに適した傾斜角である。このため、第１の領域５ａにより第１の収容部２ａに導かれる光の量が、第２の領域５ｂにより第２の収容部２ｂに導かれる光の量よりも多くなる。
【００３７】
なお、傾斜角θ1aと傾斜角θ1b、傾斜角θ2aと傾斜角θ2bのいずれか一方のみが異なる構成であってもよい。この場合も、第１の領域５ａにより第１の収容部２ａに導かれる光の量を第２の領域５ｂにより第２の収容部２ｂに導かれる光の量よりも多くすることができる。
【００３８】
このため、図５（ａ）、（ｂ）に示される導光レンズ５を用いることにより、第１の収容部２ａの底部３ａの高さと第２の収容部２ｂの底部３ｂの高さが同じであっても、光源４による第１の収容部２ａの底部３ａの照度を第２の収容部２ｂの底部３ｂの照度よりも高くすることができる。
【００３９】
また、第１の実施の形態と同様に第１の収容部２ａの底部３ａの高さを第２の収容部２ｂの底部３ｂの高さよりも高くして、光源４による第１の収容部２ａの底部３ａの照度と第２の収容部２ｂの底部３ｂの照度の差をより大きくしてもよい。
【００４０】
〔第３の実施の形態〕
第３の実施の形態は、導光レンズ５から射出された後の光の経路を制御することにより光源４による第１の収容部２ａの底部３ａの照度を第２の収容部２ｂの底部３ｂの照度よりも高くする点において、第１の実施の形態と異なる。なお、以下に説明する本実施の形態の特徴である構成以外のカップホルダー１の構成は、第１の実施の形態と同じとすることができるものとする。
【００４１】
図６（ａ）、（ｂ）は、第３の実施の形態に係るカップホルダー１の導光レンズ５周辺の垂直断面図である。
【００４２】
図６（ａ）に示されるカップホルダー１においては、光源４及び導光レンズ５が設置された領域と第１の収容部２ａとを空間的につなげる開口部６ａの面積が、光源４及び導光レンズ５が設置された領域と第２の収容部２ｂとを空間的につなげる開口部６ｂの面積よりも大きい。このため、導光レンズ５から射出された後で、第１の収容部２ａに達する光の量が、第２の収容部２ｂに達する光の量よりも多くなる。
【００４３】
図６（ｂ）に示されるカップホルダー１においては、光源４及び導光レンズ５が、第２の収容部２ｂよりも第１の収容部２ａに近い位置に設置されている。図６（ｂ）に示される点線は、第１の収容部２ａと第２の収容部２ｂの中間点の位置を示しており、光源４及び導光レンズ５は、第１の収容部２ａと第２の収容部２ｂの中間点よりも第１の収容部２ａ側に位置している。このため、光源４（導光レンズ５）から第１の収容部２ａまでの距離が、光源４（導光レンズ５）から第２の収容部２ｂまでの距離よりも短い。
【００４４】
このため、図６（ａ）、（ｂ）に示される構成を用いることにより、第１の収容部２ａの底部３ａの高さと第２の収容部２ｂの底部３ｂの高さが同じであっても、光源４による第１の収容部２ａの底部３ａの照度を第２の収容部２ｂの底部３ｂの照度よりも高くすることができる。
【００４５】
また、第１の実施の形態と同様に第１の収容部２ａの底部３ａの高さを第２の収容部２ｂの底部３ｂの高さよりも高くして、光源４による第１の収容部２ａの底部３ａの照度と第２の収容部２ｂの底部３ｂの照度の差をより大きくしてもよい。
【００４６】
なお、本実施の形態によれば、導光レンズ５以外の導光手段を用いた場合であっても、光源４による第１の収容部２ａの底部３ａの照度を第２の収容部２ｂの底部３ｂの照度よりも高くすることができる。
【００４７】
（実施の形態の効果）
上記第１〜３の実施の形態に係るカップホルダーによれば、光源を用いて視認により容易に区別できるように２つのカップ収容部を照らすことができる。このため、暗い車室内であっても、使用したい方のカップ収容部を直視することなく判別することができる。
【００４８】
また、上記第１〜３の実施の形態に係るカップホルダーによれば、光源が１つである場合でも、上記効果が得られるため、製造コストを低減することができる。
【００４９】
以上、本発明の実施の形態を説明したが、本発明は、上記の実施の形態に限定されず、発明の主旨を逸脱しない範囲内において種々変形実施が可能である。また、発明の主旨を逸脱しない範囲内において上記実施の形態の構成要素を任意に組み合わせることができる。
【００５０】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５１】
１              カップホルダー
２ａ                  第１の収容部
２ｂ                  第２の収容部
３ａ、３ｂ            底部
４              光源
５              導光レンズ
５ａ                  第１の領域
５ｂ                  第２の領域
６ａ、６ｂ            開口部
５１                  凹部
５１ａ、５１ｂ、５２ａ、５２ｂ    傾斜面
１０                  上側部材
１１ａ          第１の穴
１１ｂ          第２の穴
２０                  下側部材
２１ａ          第１の凹部
２１ｂ          第２の凹部
【図１】
2019006245.tif 000003
【図２】
2019006245.tif 000004
【図３】
2019006245.tif 000005
【図４】
2019006245.tif 000006
【図５】
2019006245.tif 000007
【図６】
2019006245.tif 000008